(57)【要約】【課題】キャップ全体としての部品点数を増加させることなく、上蓋とベースとの間での密封性を確保しつつ上蓋の開放操作を片手で行うことができる振り出し容器のキャップを提供する。【解決手段】本発明は、容器本体１２０の口部１２１に取り付けられるベース１１１に取り出し孔１１２を設け、この取り出し孔１１２をヒンジ１１５によって揺動する上蓋１１３で開閉すると共に、この上蓋１１３に突起１１６を配し、この突起１１６を、上蓋１１３を閉じることで取り出し孔１１２に差し入れて目詰まりを防止する一方、上蓋１１３を開くことで取り出し孔１１２から引き出して容器本体１２０から内容物を振り出し可能にする振り出し容器１００のキャップ１１０において、ベース１１１に、取り出し孔１１２を包囲して上蓋１１３の閉じ状態にて取り出し孔１１２周りをシールするシール部１１７ａおよびシール部１１７ａから上蓋１１３に向かって延在して該上蓋１１３の閉じ状態にて該上蓋１１３に開き方向への付勢力を与える可撓部１１７ｂを一体に具える軟質部材１１７を設けてなる。【選択図】　　　　図２
2004026261.tif 000002
【特許請求の範囲】
【請求項１】
容器本体の口部に取り付けられるベースに取り出し孔を設け、この取り出し孔をヒンジによって揺動する上蓋で開閉すると共に、この上蓋に突起を配し、この突起を、上蓋を閉じることで取り出し孔に差し入れて目詰まりを防止する一方、上蓋を開くことで取り出し孔から引き出して容器本体から内容物を振り出し可能にする振り出し容器のキャップにおいて、
前記ベースに、取り出し孔を包囲して上蓋の閉じ状態にて取り出し孔周りをシールするシール部および該シール部から上蓋に向かって延在して該上蓋の閉じ状態にて該上蓋に開き方向への付勢力を与える可撓部を一体に具える軟質部材を設けたことを特徴とする振り出し容器のキャップ。
【請求項２】
前記上蓋に、この上蓋の閉じ状態にてシール部を押圧する突条を付加して具える請求項１に記載のキャップ。
【請求項３】
前記可撓部に、シール部からベースに向かって延在して該ベースに固定される固定部を付加して具える請求項１または２に記載のキャップ。
【請求項４】
容器本体の口部に取り付けられるベースに取り出し孔を設け、この取り出し孔をヒンジによって揺動する上蓋で開閉すると共に、この上蓋に突起を配し、この突起を、上蓋を閉じることで取り出し孔に差し入れて目詰まりを防止する一方、上蓋を開くことで取り出し孔から引き出して容器本体から内容物を振り出し可能にする振り出し容器のキャップにおいて、
前記上蓋に、この上蓋の閉じ状態にて取り出し孔を包囲して該取り出し孔周りをシールするシール部および該シール部からベースに向かって延在して上蓋の閉じ状態にて該上蓋に開き方向への付勢力を与える可撓部からなる軟質部材を設けたことを特徴とする振り出し容器のキャップ。
【請求項５】
前記ベースに、この上蓋の閉じ状態にてシール部を押圧する突条を付加して具える請求項４にキャップ。
【請求項６】
前記可撓部の先端に、ベースに固定される固定部を付加して具える請求項４または５に記載のキャップ。
【請求項７】
前記上蓋に配した突起を、シール部に付加して設ける請求項４乃至６のいずれか一項に記載のキャップ。
【発明の詳細な説明】
【０００１】
【発明の属する技術分野】
本発明は、容器本体の口部に取り付けられるベースに取り出し孔を設け、この取り出し孔に、ヒンジによって揺動する上蓋に配した突起を差し入れて目詰まりを防止する機能を有する振り出し容器のキャップに関するものである。
【０００２】
【従来の技術】
振り出し容器は、粒状の固形物からなる内容物を容器本体から振り出す容器であって、例えば、コショウなどの香辛料や食塩などの調味料を容器本体に充填し、この容器本体の口部に開閉自在なキャップを取り付けたものが既知である。
【０００３】
こうしたキャップは、一般的に、容器本体の口部に取り付けられるベースに取り出し孔を設け、この取り出し孔をヒンジによって揺動する上蓋で開閉すると共に、この上蓋に突起を配し、この突起を、上蓋を閉じることで取り出し孔に差し入れて目詰まりを防止する一方、上蓋を開くことで取り出し孔から引き出して容器本体から内容物を振り出し可能にしている。
【０００４】
【発明が解決しようとする課題】
しかしながら、従来のキャップは、上蓋をベースに直接合わせて閉じていたため、開封後では上蓋とベースとの間での密封性をほとんど確保できず、例えば、内容物が比較的吸湿性の高いものである場合、防湿性に欠けるという問題があった。このため、本願発明者は、上蓋を閉じた状態にて上蓋とベースとの間での密封性を確保するための密封手段の必要性を認識するに至った。
【０００５】
一方、振り出し容器のキャップは、例えば料理などの作業中に用いられる場合が多いため、上蓋の開放操作を片手で行えることが好ましく、上蓋を自動的に開放することができる開放手段を具えるキャップの需要があることも事実である。
【０００６】
しかしながら、上蓋とベースとの間の密封性を確保する密封手段と、上蓋を自動的に開放する開放手段とを個々に設ける場合、上蓋とベースとの間の密封性を確保しつつ上蓋の開放操作を片手で行えるものの、キャップ全体としての部品点数が増加するといった不都合が生じることが明らかとなった。
【０００７】
本発明は、こうした事実に鑑みてなされたものであり、キャップ全体としての部品点数を増加させることなく、上蓋とベースとの間での密封性を確保しつつ上蓋の開放操作を片手で行うことができる振り出し容器のキャップを提供することを目的とする。
【０００８】
【課題を解決するための手段】
本発明である、請求項１に記載の振り出し容器のキャップは、容器本体の口部に取り付けられるベースに取り出し孔を設け、この取り出し孔をヒンジによって揺動する上蓋で開閉すると共に、この上蓋に突起を配し、この突起を、上蓋を閉じることで取り出し孔に差し入れて目詰まりを防止する一方、上蓋を開くことで取り出し孔から引き出して容器本体から内容物を振り出し可能にする振り出し容器のキャップにおいて、そのベースに、取り出し孔を包囲して上蓋の閉じ状態にて取り出し孔周りをシールするシール部および該シール部から上蓋に向かって延在して該上蓋の閉じ状態にて該上蓋に開き方向への付勢力を与える可撓部を一体に具える軟質部材を設けたことを特徴とするものである。
【０００９】
請求項２に記載の発明は、請求項１に記載のキャップにおいて、その上蓋に、この上蓋の閉じ状態にてシール部を押圧する突条を付加して具えるものである。
【００１０】
請求項３に記載の発明は、請求項１または２に記載のキャップにおいて、その可撓部に、シール部からベースに向かって延在して該ベースに固定される固定部を付加して具えるものである。
【００１１】
請求項４に記載の振り出し容器のキャップは、容器本体の口部に取り付けられるベースに取り出し孔を設け、この取り出し孔をヒンジによって揺動する上蓋で開閉すると共に、この上蓋に突起を配し、この突起を、上蓋を閉じることで取り出し孔に差し入れて目詰まりを防止する一方、上蓋を開くことで取り出し孔から引き出して容器本体から内容物を振り出し可能にする振り出し容器のキャップにおいて、その上蓋に、この上蓋の閉じ状態にて取り出し孔を包囲して該取り出し孔周りをシールするシール部および該シール部からベースに向かって延在して上蓋の閉じ状態にて該上蓋に開き方向への付勢力を与える可撓部からなる軟質部材を設けたことを特徴とするものである。
【００１２】
請求項５に記載の発明は、請求項４に記載のキャップにおいて、そのベースに、この上蓋の閉じ状態にてシール部を押圧する突条を付加して具えるものである。
【００１３】
請求項６に記載の発明は、請求項４または５に記載のキャップにおいて、その可撓部の先端に、ベースに固定される固定部を付加して具えるものである。
【００１４】
請求項７に記載の発明は、請求項４乃至６のいずれか一項に記載のキャップにおいて、その上蓋に配した突起を、シール部に付加して設けたものである。
【００１５】
【発明の実施の形態】
図１（ａ），（ｂ）はそれぞれ、本発明の第一実施形態であるキャップ１１０を具える振り出し容器１００を正面および上面から示す平面図であり、図２（ａ），（ｂ）にそれぞれ、図１のＡ−Ａ断面にて、キャップ１１０を閉じた状態および開いた状態の振り出し容器１００を示す。
【００１６】
キャップ１１０は、容器本体１２０の口部１２１に取り付けられるスクリュー嵌合式のベース１１１に、図１に示す如く、複数の取り出し孔１１２を設け、これらの取り出し孔１１２を上蓋１１３で開閉するものである。
【００１７】
上蓋１１３は、ベース１１１に取り付けられた上蓋部分１１４とヒンジ１１５を介して一体に形成されており、このヒンジ１１５によって揺動する。ベース１１１および上蓋１１３は、図２（ａ）に示す閉じ状態にて、ベース１１１と対向する上蓋１１３の裏面１１３ｆに設けた凸部Ｐ１がベース１１１に設けた凸部Ｐ２とアンダーカット嵌合することによってロックされ、上蓋１１３を開く際には、上蓋１１３の先端を図２（ａ）の矢印ｄ１に示す向きに押し上げてアンダーカット嵌合を外してロックを解除する。
【００１８】
また上蓋１１３は、図１に示す如く、裏面１１３ｆに複数の突起１１６を一体に配置する。これら突起１１６は、図２（ａ）に示す如く、上蓋１１３を閉じることで取り出し孔１１２に差し入れられてこれら取り出し孔１１２の目詰まりを防止する一方、図２（ｂ）に示す如く、上蓋１１３を開くことで取り出し孔１１２から引き出されて容器本体１２０から内容物を振り出し可能にする。
【００１９】
図３は、ベース１１１を上方から示す平面図であり、このベース１１１の上面１１１ｆには、複数の取り出し孔１１２を包囲する周溝ｎ１と、後述の軟質部材１１７を固定するための固定溝ｎ２とが形成されている。
【００２０】
図４（ａ），（ｂ）はそれぞれ、軟質部材１１７を上方から示す平面図およびそのＢ−Ｂ断面図である。軟質部材１１７は、シリコンゴムなどのゴム材料やエラストマからなり、ベース１１１に設けた周溝ｎ１に嵌合して複数の取り出し孔１１２を包囲する環状のシール部１１７ａ、シール部１１７ａから上蓋１１３に向かって延在する可撓部１１７ｂおよび、シール部１１７ａからベース１１１に向かって延在してベース１１１に設けた固定溝ｎ２に固定される固定部１１７ｃを一体に具える。
【００２１】
軟質部材１１７は、図２（ｂ）に示す如くベース１１１に取り付けられる。但し、軟質部材１１７は、本実施形態の如く、ベース１１１と別体として嵌合または接着によって取り付けるセット方法に限らず、ベース１１１にインサート成形してもよい。
【００２２】
シール部１１７ａは、図２（ａ）に示す如く、上蓋１１３の閉じ状態にて、上蓋１１３に密接して取り出し孔１１２周りをシールする。本実施形態では、上蓋１１３は、図１（ａ）に示す如く、その裏面１１３ｆと一体に突起１１６を包囲する突条１１８を付加して具える。この突条１１８によれば、上蓋１１３の閉じ状態にてシール部１１７ａを押圧するため、ベース１１１と上蓋１１３との間を強固にシールすることができる。
【００２３】
また可撓部１１７ｂは、上蓋１１３の閉じ状態にて、図２（ａ）に示す如く、上蓋１１３の裏面１１３ｆによって弾性変形して折れ曲がった状態で収納される。このため、可撓部１１７ｂは、上蓋１１３の閉じ状態にて、上蓋１１３に開き方向（図２の矢印ｄ２方向）への付勢力を与えるから、上蓋１１３に設けた凸部Ｐ１とベース１１１に設けた凸部Ｐ２とのロックを解除すると同時に上蓋１１３を自動的に開放することができる。
【００２４】
従って、キャップ１１０によれば、軟質部材１１７がシール部１１７ａおよび可撓部１１７ｂを一体に具えることによって、キャップ全体としての部品点数を増加させることなく、上蓋１１３とベース１１１との間での密封性を確保しつつ上蓋１１３の開放操作を片手で行うことができる。
【００２５】
特に本実施形態の場合、可撓部１１７ｂに、シール部１１７ａからベース１１１に向かって延在してベース１１１に固定される固定部１１７ｃを付加して具えることから、可撓部１１７ｂをベース１１１に対して位置決めすることによって、可撓部１１７ｂからの付勢力が常に上蓋１１３における一定の場所に与えられるため、蓋体１１３の自動開放を常に安定して行うことができる。
【００２６】
なお本実施形態では、上蓋部分１１４をベース１１１と別体にして取り付けていたが、上蓋部分１１４は、ベース１１１と一体であってもよい。
【００２７】
図５（ａ），（ｂ）はそれぞれ、本発明の第二実施形態であるキャップ２１０を具える振り出し容器２００を、キャップ２１０を閉じた状態および開いた状態で示す断面図であり、図６は、キャップ２１０の要部断面図である。
【００２８】
キャップ２１０は、第一実施形態と同様、容器本体２２０の口部２２１に取り付けられるスクリュー嵌合式のベース２１１に複数の取り出し孔２１２を設け、これらの取り出し孔２１２を上蓋２１３で開閉するものである。
【００２９】
上蓋２１３は、ベース２１１にピンなどを用いたヒンジ２１４によって揺動自在に結合されている。ベース２１１および上蓋２１３は、第一実施形態と同様、図５（ａ）に示す閉じ状態にて、上蓋２１３に設けた凸部Ｐ３がベース２１１に設けた凸部Ｐ４とアンダーカット嵌合することによってロックされ、上蓋２１３を開く際には、上蓋２１３の先端２１３ａを図５（ａ）の矢印ｄ２に示す向きに押し込むことにより上蓋２１３がベース２１１のテーパ部に沿って矢印ｄ１の方向に押し上げられ、これにより、凸部Ｐ３および凸部Ｐ４間のアンダーカット嵌合を外してロックを解除する。
【００３０】
本実施形態では、軟質部材２１５を上蓋２１３に設けている。軟質部材２１５は、第一実施形態と同様、シリコンゴムなどのゴム材料やエラストマからなり、上蓋２１３の閉じ状態にて取り出し孔２１２を包囲して該取り出し孔２１２周りをシールする環状のシール部２１５ａおよびシール部２１５ａからベース２１１に向かって延在する可撓部２１５ｂを一体に具える。さらに本実施形態では、可撓部２１５ｂの先端に、ベース２１１に設けた固定溝ｎ３に固定される固定部２１５ｃを付加して具えると共に、シール部２１５ａの内側に複数の突起２１５ｄを付加して具える。
【００３１】
軟質部材２１５は、図５（ｂ）に示す如く、ベース２１１および上蓋２１３に取り付けられる。なお、シール部２１５ａは、第一実施形態と同様、ベース２１１と別体として嵌合または接着によって取り付けるセット方法に限らず、ベース２１１にインサート成形してもよい。但し固定部２１５ｃは、ベース２１１に対して嵌合または接着によって取り付ける。
【００３２】
シール部２１５ａは、図５（ａ）に示す如く、上蓋２１３の閉じ状態にて、ベース２１１の上面２１１ｆに密接して取り出し孔２１２周りをシールする。なお、ベース２１１の上面２１１ｆには、第一実施形態と同様、取り出し孔２１２を包囲する突条を設けてもよい。この場合も、前記突条が、上蓋１１３の閉じ状態にてシール部２１５ａを押圧するため、第一実施形態と同様、ベース２１１と上蓋２１３との間を強固にシールすることができる。
【００３３】
また可撓部２１５ｂは、上蓋２１３の閉じ状態にて、図５（ａ）に示す如く、ベース２１１の上面２１１ｆによって弾性変形して折れ曲がった状態で収納される。このため、可撓部２１５ｂは、上蓋２１３の閉じ状態にて、第一実施形態と同様、上蓋２１３に開き方向（図２の矢印ｄ２方向）への付勢力を与えるから、上蓋２１３に設けた凸部Ｐ３とベース２１１に設けた凸部Ｐ４とのロックを解除すると同時に上蓋２１３を自動的に開放することができる。
【００３４】
従って、キャップ２１０によれば、軟質部材２１５がシール部２１５ａおよび可撓部２１５ｂを一体に具えることによって、第一実施形態と同様、キャップ全体としての部品点数を増加させることなく、上蓋２１３とベース２１１との間での密封性を確保しつつ上蓋２１３の開放操作を片手で行うことができる。
【００３５】
特に本実施形態の場合、可撓部２１５ｂの先端に、ベース２１１に固定される固定部２１５ｃを付加して具えることから、第一実施形態と同様、可撓部２１５ｂをベース２１１に対して位置決めすることによって、可撓部２１５ｂからの付勢力が常に上蓋２１３における一定の場所に与えられるため、蓋体２１３の自動開放を常に安定して行うことができる。
【００３６】
また上蓋２１３に配した複数の突起２１５ｄは、図５（ａ）に示す如く、上蓋２１３を閉じることで取り出し孔２１２に差し入れられてこれら取り出し孔２１２の目詰まりを防止する一方、図５（ｂ）に示す如く、上蓋２１３を開くことで取り出し孔２１２から引き出されて容器本体２２０から内容物を振り出し可能にする。この場合、突起２１５ｄが軟質部材２１５と一体に成形されていることから、弾性変形可能な突起２１５ｄが取り出し孔２１２からの抜き差し時に引っ掛ることがなく、スムースな開閉操作を確保することができる。
【００３７】
なお、突起２１５ｄは、シール部２１５ａと一体に成形することなく、シール部２１５ａを第一実施形態のシール部１１７ａと同様のリング状とし、第一実施形態の突起１１６の如く、上蓋２１３と一体に形成してもよい。
【００３８】
上述したところは、本発明の好適な実施形態を示したに過ぎず、当業者によれば、請求の範囲において、種々の変更を加えることができる。例えば、ベースを容器本体の口部に取り付ける手段もスクリュー嵌合ではなく、アンダーカット嵌合など、様々な取り付け手段を用いることができる。
【００３９】
【発明の効果】
本発明である振り出し容器のキャップは、シール部および可撓部を一体に具える軟質部材を設けたことから、上蓋の閉じ状態にて、シール部によって取り出し孔周りをシールすると同時に可撓部によって上蓋に開き方向への付勢力を与えることができる。
【００４０】
従って、本発明によれば、軟質部材がシール部および可撓部を一体に具えることによって、キャップ全体としての部品点数を増加させることなく、ベースと上蓋との間での密封性を確保しつつ上蓋の開放操作を片手で行うことができる。
【図面の簡単な説明】
【図１】（ａ），（ｂ）はそれぞれ、本発明の第一実施形態であるキャップを具える振り出し容器を正面および上面から示す平面図である。
【図２】（ａ），（ｂ）にそれぞれ、同実施形態におけるキャップを閉じた状態および開いた状態の振り出し容器を示すＡ−Ａ断面図である。
【図３】同実施形態におけるベースを上方から示す平面図である。
【図４】（ａ），（ｂ）はそれぞれ、軟質部材１１７を上方から示す平面図およびそのＢ−Ｂ断面図である。
【図５】（ａ），（ｂ）はそれぞれ、本発明の第二実施形態であるキャップを具える振り出し容器を、キャップを閉じた状態および開いた状態で示す断面図である。
【図６】同実施形態におけるキャップの要部断面図である。
【符号の説明】
１００　振り出し容器
１１０　キャップ
１１１　ベース
１１２　取り出し孔
１１３　上蓋
１１４　上蓋部分
１１５　ヒンジ
１１６　突起
１１７　軟質部材
１１７ａ　シール部
１１７ｂ　可撓部
１１７ｃ　固定部
１１８　突条
２００　振り出し容器
２１０　キャップ
２１１　ベース
２１２　取り出し孔
２１３　上蓋
２１４　ヒンジ
２１５　軟質部材
２１５ａ　シール部
２１５ｂ　可撓部
２１５ｃ　固定部
２１５ｄ　突起
【図１】
2004026261.tif 000003
【図２】
2004026261.tif 000004
【図３】
2004026261.tif 000005
【図４】
2004026261.tif 000006
【図５】
2004026261.tif 000007
【図６】
2004026261.tif 000008